(57)【要約】【課題】安価に製造でき、取付板材の裏側へのナットの脱落が生じず、しかも、取付板材の裏側に回動スペースが無くても容易に配設することができる吊りナットを提供することを目的とする。【解決手段】細長形状に形成したナット部５に傾倒自在且つ屈曲自在に弾性変形する一対の合成樹脂製の薄板部材７ａから成る連結部７を立設状態に設け、この連結部７にナット部５の取付板材２の裏側への抜け落ちを防止する抜け止め部６を設け、連結部７を傾倒させて、ナット部５を取付板材２の裏側に挿入配設して抜け止め部６により取付板材２の裏側に吊り下げ配設すると、連結部７の弾性復帰によりナット部５の姿勢が変化して取付孔１から挿入する固定ボルト３が螺着可能な状態となるように構成した吊りナット。【選択図】図２
2015113960.tif 000002
【特許請求の範囲】
【請求項１】
取付孔を設けた取付板材の裏側に配設し、前記取付孔から挿入する固定ボルトを螺着して前記取付板材に取付物を取り付け固定する吊りナットであって、前記取付孔から前記取付板材の裏側に挿入配設する細長形状に形成したナット部と、このナット部の前記取付板材の裏側への抜け落ちを防止する抜け止め部と、このナット部と前記抜け止め部とを連結する連結部とから成り、前記連結部は、傾倒自在且つ屈曲自在に弾性変形する一対の合成樹脂製の薄板部材を前記ナット部と抜け止め部との間に対向状態に設けた構成とし、この連結部を傾倒させて、前記ナット部を前記取付孔から前記取付板材の裏側に挿入配設して前記抜け止め部により前記取付板材の裏側に吊り下げ配設すると、前記連結部の弾性復帰により前記ナット部の姿勢が変化して前記取付孔から挿入する前記固定ボルトが螺着可能な状態となり、前記取付孔から挿入した前記固定ボルトを前記ナット部に螺着してゆくと、前記連結部が屈曲変形して前記ナット部が前記取付板材の裏面に接近し係止して、前記取付板材に取付物を取り付け固定するように構成したことを特徴とする吊りナット。
【請求項２】
前記ナット部は、長手方向を挿入方向とした際に前記取付孔に挿入可能な細長板状体の長手方向中央に前記固定ボルトを螺着するネジ孔を穿設すると共に、このネジ孔の前記長手方向両側に前記一対の薄板部材を係止する係止部を設けた構成とし、この夫々の係止部に前記一対の薄板部材の一端部を夫々係止してこのナット部上に対向状態に立設して前記連結部を形成し、このナット部に立設した前記連結部の他端部に前記固定ボルトを挿通し得るボルト挿通孔を設けた前記抜け止め部を前記ナット部に対して対向状態となるように設けたことを特徴とする請求項１記載の吊りナット。
【請求項３】
前記一対の薄板部材の対向間隔を前記固定ボルトのボルト径と略同等に設定して、この一対の薄板部材が前記固定ボルトの挿通案内板となるように構成し、前記ボルト挿通孔から挿通した固定ボルトがこの一対の薄板部材に沿って挿入されて前記ナット部に螺着されるように構成したことを特徴とする請求項１，２のいずれか１項に記載の吊りナット。
【発明の詳細な説明】
【技術分野】
【０００１】
本発明は、取付孔を設けた取付板材の裏側に配設し、取付孔から挿入する固定ボルトを螺着して取付板材に取付物を取り付け固定する吊りナットに関するものである。
【背景技術】
【０００２】
既設の屋根板や壁等の裏側に手を入れることができない取付板材に取付物をボルト・ナットを用いて取り付け固定する際、ナットには、取付板材の裏側に手を入れなくても容易にこの取付板材の裏側に配設できる回転ナットが用いられる。
【０００３】
従来、この種の回転ナットは、例えば、特許文献１に示すような、ボルト挿通孔を有するフランジの両側に一対のガイド溝を設けた腕部を設け、この腕部にボルトを螺着するネジ孔を設けた板状ナットを回動自在に設けると共にガイド溝に沿って昇降自在に設けた構成とし、取付板材の裏側に配設する際は、板状ナットを腕部と平行にして、取付板材に対して垂直にしてこの取付板材に設けた取付孔から挿入し、挿入後、フランジに設けたボルト挿通孔から挿通したボルトを取付孔に挿通すると、挿通したボルト先端部が板状ナットに当接して板状ナットが回転し取付板材と平行になって螺着可能な状態となり、この螺着可能状態になった板状ナットにボルトを螺着してゆくと、板状ナットが腕部のガイド溝に沿って上昇してゆき、取付板材と取付物とを締め付けてゆくように構成されている。
【先行技術文献】
【特許文献】
【０００４】
【特許文献１】特開２００２−３１７８０７号公報
【発明の概要】
【発明が解決しようとする課題】
【０００５】
しかしながら、従来の回転ナットは、板状ナットを回動させるための軸及び軸受や、板状ナットの回動位置、即ち、板状ナットの垂直・水平状態を位置決めするための位置決め機構が必要であり、また、ボルトの差し込みにより回動するよう板状ナットに誘い込み傾斜部を設けたり、更には、板状ナットを昇降させるためのガイド等が必要であったため、構造が複雑であり、そのためコスト高となる問題があった。
【０００６】
また、従来の回転ナットは、板状ナットを回動させた際に、板状ナットが軸受となる腕部から外れて板状部材の裏側に落下してしまうという問題もあった。
【０００７】
更に、この種の回転ナットは、垂直状態で取付板材の裏側に挿入配設し、この取付板材の裏側の中空部で回動して水平状態とするため、取付板材の裏側には少なくとも板状ナットを垂直状態で挿入することができる板状ナットの長手方向寸法分のスペースが無くてはならず、従って、取付板材の裏側のスペースが板状ナットの長手方向寸法よりも短い高さ寸法である場合には用いることができないという問題もあった。
【０００８】
本発明は、このような現状に鑑み、極めて簡易な構成で安価に製造することができ、しかも、ナットの脱落も生じず、更に、取付板材の裏側に回動スペースが無くても容易に配設することができる極めて実用性に優れた画期的な吊りナットを提供することを目的とする。
【課題を解決するための手段】
【０００９】
添付図面を参照して本発明の要旨を説明する。
【００１０】
取付孔１を設けた取付板材２の裏側に配設し、前記取付孔１から挿入する固定ボルト３を螺着して前記取付板材２に取付物４を取り付け固定する吊りナットであって、前記取付孔１から前記取付板材２の裏側に挿入配設する細長形状に形成したナット部５と、このナット部５の前記取付板材２の裏側への抜け落ちを防止する抜け止め部６と、このナット部５と前記抜け止め部６とを連結する連結部７とから成り、前記連結部７は、傾倒自在且つ屈曲自在に弾性変形する一対の合成樹脂製の薄板部材７ａを前記ナット部５と抜け止め部６との間に対向状態に設けた構成とし、この連結部７を傾倒させて、前記ナット部５を前記取付孔１から前記取付板材２の裏側に挿入配設して前記抜け止め部６により前記取付板材２の裏側に吊り下げ配設すると、前記連結部７の弾性復帰により前記ナット部５の姿勢が変化して前記取付孔１から挿入する前記固定ボルト３が螺着可能な状態となり、前記取付孔１から挿入した前記固定ボルト３を前記ナット部５に螺着してゆくと、前記連結部７が屈曲変形して前記ナット部５が前記取付板材２の裏面に接近し係止して、前記取付板材２に取付物４を取り付け固定するように構成したことを特徴とする吊りナットに係るものである。
【００１１】
また、前記ナット部５は、長手方向を挿入方向とした際に前記取付孔１に挿入可能な細長板状体５ａの長手方向中央に前記固定ボルト３を螺着するネジ孔５ｂを穿設すると共に、このネジ孔５ｂの前記長手方向両側に前記一対の薄板部材７ａを係止する係止部８を設けた構成とし、この夫々の係止部８に前記一対の薄板部材７ａの一端部を夫々係止してこのナット部５上に対向状態に立設して前記連結部７を形成し、このナット部５に立設した前記連結部７の他端部に前記固定ボルト３を挿通し得るボルト挿通孔９を設けた前記抜け止め部６を前記ナット部５に対して対向状態となるように設けたことを特徴とする請求項１記載の吊りナットに係るものである。
【００１２】
また、前記一対の薄板部材７ａの対向間隔を前記固定ボルト３のボルト径と略同等に設定して、この一対の薄板部材７ａが前記固定ボルト３の挿通案内板となるように構成し、前記ボルト挿通孔９から挿通した固定ボルト３がこの一対の薄板部材７ａに沿って挿入されて前記ナット部５に螺着されるように構成したことを特徴とする請求項１，２のいずれか１項に記載の吊りナットに係るものである。
【発明の効果】
【００１３】
本発明は上述のように構成したから、極めて簡易な構成で安価に製造することができ、しかも、ナットの脱落も生じず、更に、取付板材の裏側に回動スペースが無くても容易に配設することができる極めて実用性に優れた画期的な吊りナットとなる。
【００１４】
また、請求項２記載の発明においては、より一層簡易な構成で、一層安価に製造することができる画期的な吊りナットとなる。
【００１５】
また、請求項３記載の発明においては、固定ボルトをナット部に螺着する際、容易に固定ボルトをナット部のネジ孔に対して位置決めすることができ、よって、螺着作業が極めて容易となる実用性に優れた吊りナットとなる。
【図面の簡単な説明】
【００１６】
【図１】本実施例の使用状態を示す説明斜視図である。
【図２】本実施例を示す斜視図である。
【図３】本実施例を示す分解斜視図である。
【図４】本実施例の使用状態（挿入姿勢）を示す説明図である。
【図５】本実施例の要部を示す説明斜視図である。
【図６】本実施例の要部を示す説明斜視図である。
【図７】本実施例の使用状態（挿入配設手順）を示す説明図である。
【図８】本実施例の使用状態（別挿入姿勢）を示す説明図である。
【図９】本実施例の別例を示す斜視図である。
【発明を実施するための形態】
【００１７】
好適と考える本発明の実施形態を、図面に基づいて本発明の作用を示して簡単に説明する。
【００１８】
連結部７をナット部５の長手方向一側に折り畳んでこのナット部５と重なり合うように伏倒状態にすると、ナット部５の長手方向を挿入方向として、この伏倒状態にした連結部７と共にナット部５を取付板材２に設けられた取付孔１に挿入して取付板材２の裏側に配設することができる。
【００１９】
また、取付板材２の裏側に配設されたナット部５は、抜け止め部６が取付板材２の表面に係止して、取付板材２の裏側に吊り下げ状態に配設されると共に、折り畳んで伏倒状態にした連結部７が弾性復帰により折り畳み前の元の状態に戻り変形し、この連結部７の戻り変形によりナット部５の姿勢が、例えば取付孔１に挿入する状態の取付板材２に対して略垂直状態から取付板材２と略平行状態となるように変化する。
【００２０】
即ち、本発明は、例えば、取付板材２の裏側のスペースが、ナット部５の長手方向寸法よりも高さのある広いスペースを有する場合、取付孔１に挿通するために取付板材２に対して略垂直方向に向けた姿勢にし、この略垂直姿勢で取付孔１に挿入して取付板材２の裏側に配設すると、勢連結部７の弾性復帰により、取付板材２の裏側に配設したナット部５が、固定ボルト３の螺着が不可能な略垂直状態の姿勢から固定ボルト３の螺着が可能となる取付板材２と略平行状態の姿勢に自動的に変化する。
【００２１】
この螺着可能な姿勢となったナット部５に、取付孔１から挿入した固定ボルト３を螺着してゆくと、連結部７が屈曲変形しながらナット部５が取付板材２の裏面に接近し係止して、取付板材２に取り付けた取付物４をボルト固定することができる。
【００２２】
また、本発明は、例えば、取付板材２の裏側のスペースが、ナット部５の長手方向寸法よりも高さのない狭いスペースの場合、即ち、ナット部５を取付板材２に対して略垂直状態にして取付孔１に挿入できない場合でも、連結部７を傾斜状態に屈曲変形させることで、取付孔１に対してナット部５を斜め方向から挿入して前記スペースの横方向にナット部５を逃がすようにして取付板材２の裏側に挿入配設することができる。
【００２３】
このように、本発明は、ナット部５と抜け止め部６との連結部材に、傾倒自在且つ屈曲自在に弾性変形する一対の合成樹脂製の薄板部材７ａから成る連結部７を設けただけの極めて簡易な構成としたから、安価に製造することができる。
【００２４】
しかも、取付板材２の裏側に配設したナット部５は、連結部７の弾性復帰により自動的に螺着可能な姿勢に変化するので、従来のボルトを差し込んで回動させる方式に比べ、より作業が簡易になり、しかも、従来は、取付板材２の裏側にナットを回動させるだけのスペースが無いと使用できなかったが、本発明は、このような取付板材２の裏側のスペースが狭い場合でも容易に配設することができる極めて実用性に優れた画期的な吊りナットとなる。
【実施例】
【００２５】
本発明の具体的な実施例について図面に基づいて説明する。
【００２６】
本実施例は、図１に示すように、取付孔１を設けた取付板材２の裏側に配設し、前記取付孔１から挿入する固定ボルト３を螺着して前記取付板材２に取付物４を取り付け固定する吊りナットに係るものであり、具体的には、既設の屋根板や壁等、裏側に手を入れることができない状態で設けられている取付板材２に取付物４をボルト・ナットで取り付け固定する際に、取付板材２の裏側に手を入れなくても配設できる吊りナットである。
【００２７】
より具体的には、本実施例は、図２に示すように、取付板材２に設けられた取付孔１から取付板材２の裏側に挿入配設する細長形状に形成したナット部５と、このナット部５を取付板材２の裏側へ挿入配設した際に、このナット部５の取付板材２の裏側への抜け落ちを防止する抜け止め部６と、この取付板材２の裏側に配設したナット部５と取付板材２の表側に係止する抜け止め部６とを連結する連結部７とから成る構成としている。
【００２８】
更に具体的に説明すると、本実施例は、傾倒自在且つ屈曲自在な部材で連結部７を形成し、この傾倒自在且つ屈曲自在な連結部７を傾倒させて、ナット部５を取付孔１から取付板材２の裏側に挿入配設して抜け止め部６により取付板材２の裏側に吊り下げ配設すると、連結部７の弾性復帰によりナット部５の姿勢が変化して取付孔１から挿入する固定ボルト３が螺着可能な状態となり、取付孔１から挿入した固定ボルト３をナット部５に螺着してゆくと、連結部７が屈曲変形してナット部５が取付板材２の裏面に接近し係止して、取付板材２に取付物４を取り付け固定することができるように構成している。
【００２９】
以下、本実施例に係る構成各部について詳細に説明する。
【００３０】
本実施例のナット部５は、図３に示すように、金属製の直方体部材から成る細長板状体５ａに固定ボルト３を螺着するネジ孔５ｂを設けた構成としている。
【００３１】
具体的には、細長板状体５ａは、長手方向（左右方向）の寸法を取付板材２に設けられた固定ボルト３挿入用の取付孔１の径よりも大径に設定し、短手方向（幅方向）及び厚さ方向（高さ方向）の寸法を前記取付孔１の径よりも小径に設定した細長形状に形成して、図４に示すように、長手方向を挿入方向とした場合に取付孔１に挿入可能となる構成とし、ネジ孔５ｂは、この細長板状体５ａの中央部に設けた構成としている。
【００３２】
また、本実施例のナット部５は、後述する連結部７を係止する係止部８を設けた構成とし、具体的には、本実施例では、この係止部８を係止具16（具体的にはリベット16）を挿入する係止具挿入孔８に形成し、ネジ孔５ｂの左右両側（ナット部５の長手方向両側）に夫々設けた構成とし、この係止具挿入孔８にリベット16を例えばプレス機等を使用して圧入挿入することで連結部７をナット部５に係止する構成としている。
【００３３】
尚、係止部８においては上記構成に限らず、例えば係止部８をネジ孔に構成し、ネジで連結部７をナット部５に螺着係止する構成としても良い。
【００３４】
また、このナット部５の抜け落ちを防止する抜け止め部６は、取付孔１に挿通不能形状に形成して取付孔１の周囲の取付板材２表面に係止することで、ナット部５の抜け落ちを防止する構成としている。
【００３５】
具体的には、抜け止め部６は、図３，４に示すように、取付孔1よりも大径な長方形状の金属板材から成り、板面中央に固定ボルト３を挿通し得るボルト挿通孔９（本実施例では、固定ボルト３のネジ径より稍大径のボルト挿通孔９）を設けた構成とし、更に、このボルト挿通孔９の左右両側（抜け止め部６の長手方向両側）に夫々、連結部７を挿通配設する長孔形状の連結部挿通孔11を設けた構成としている。
【００３６】
また、更に抜け止め部６は、図５に示すように、周縁部、具体的には対向する長辺縁部の夫々に、外方に突出する係止爪部12を対角線上に配設した構成として、この係止爪部12を内方に折り畳んで抜け止め部６の板面に重なった連結部７を挟み込んで、この抜け止め部６と連結部７とを係合係止して一体化するように構成している。
【００３７】
また、上述したナット部５と抜け止め部６とを連設する連結部７は、傾倒自在且つ屈曲自在に弾性変形する合成樹脂製の薄板部材７ａから成る構成としている。
【００３８】
即ち、本実施例は、このナット部５と抜け止め部６とを連設する連結部７が弾性変形により傾倒したり屈曲変形することによって、抜け止め部６に対してナット部５の姿勢が変化したり、抜け止め部６に対してナット部５が接離移動したりすることが可能となって、ナット部５を取付孔１に挿入可能となったり、固定ボルト３の螺着によりナット部５が取付板材２に接近移動し係止可能となる構成としている。
【００３９】
より具体的に説明すると、本実施例の連結部７は、図３に示すように、一対の帯状薄板部材７ａを長手方向が上下方向となるようにして互いに板面同士が対向するようにして配設し、この対向配設した薄板部材７ａの上端部同士を、中央に抜け止め部６に設けたボルト挿通孔９と連通する挿通孔14を設けた連結板材７ｂで連設してコ字状に形成した構成としている。
【００４０】
更に具体的に説明すると、本実施例では、この一対の薄板部材７ａの対向間隔を固定ボルト３のボルト径と略同等に設定して、この一対の薄板部材７ａが固定ボルト３の挿入案内板（ガイド）となるように構成している。
【００４１】
即ち、本実施例は、ボルト挿通孔９から挿入した固定ボルト３がこの一対の薄板部材７ａに沿設状態で挿入されることによって固定ボルト３の先端が左右に位置ズレせず、ナット部５のネジ孔５ｂに係合するように位置決めされる構成とし、これにより、固定ボルト３をナット部５に容易に螺着できるよう構成としている。
【００４２】
また、本実施例は、各薄板部材７ａの幅を、本実施例を取付板材２に設けられた取付孔１に挿入した際に、夫々の薄板部材７ａの端縁が取付孔１の内周縁に接するような幅に設定している。
【００４３】
即ち、本実施例は、この夫々の薄板部材７ａの端縁が取付孔１の内周縁に接することで、取付孔１に対して左右均等な位置に位置決めされた状態で挿入配設されるように構成して、例えば、取付板材２に固定する取付物４に対して位置ズレせず、取付物４を所定の位置で固定できるように構成している。
【００４４】
また、本実施例の薄板部材７ａは、図２に示すように、ナット部５の係止部８に係止する係止脚部13を設けた構成としており、具体的には、本実施例の係止脚部13は、薄板部材７ａの下端部を外方に向けて折曲し、この折曲した折曲片に係止部８に係止する係止具16を貫通配設し得る貫通孔13ａを設けた構成とし、より具体的には、折曲片に係止具挿入孔８に挿入係止するリベット16を貫通配設し得る径寸法に設定した貫通孔13ａを設けた構成としている。
【００４５】
即ち、本実施例の連結部７は、対向する夫々の薄板部材７ａを、抜け止め部６に設けた連結部挿通孔11に挿入配設すると共に、連結板材７ｂを抜け止め部６に重合配設して、薄板部材７ａを抜け止め部６に対して抜け止め状態に設け、更にこの抜け止め部６に重合配設した連結板材７ｂを抜け止め部６に設けた係止爪部12で挟み込み係止して、この連結部７と抜け止め部６とを係合係止して一体化し、この抜け止め部６と一体化した連結部７の下端部、即ち各薄板部材７ａの下端に設けた係止脚部13をナット部５に設けた係止部８にリベット16で固定して、ナット部５と抜け止め部６との間に架設し、このナット部５と抜け止め部６とを連設する構成としている。
【００４６】
尚、連結部７の形状は上記に限らず、例えば、図６に示すように、夫々の薄板部材７ａの上端部（抜け止め部６側）に抜け止め部６の連結部挿通孔11を挿通不能な抜け止め係止片15を設け、薄板部材７ａを抜け止め部６の連結部挿通孔11に挿入配設した際、この抜け止め係止片15によって夫々の薄板部材７ａを抜け止め部６に抜け止め状態に設ける分離型とした構成としても良い。
【００４７】
また更に、連結部７を構成する各薄板部材７ａの長さ方向途中に屈曲部10を一又は複数設けて、この屈曲部10を起点として夫々の薄板部材７ａがく字状又は蛇腹状に屈曲変形するように構成しても良い。
【００４８】
具体的には、例えば、図９に示すように、屈曲部10を山折り目に形成して、夫々の薄板部材７ａの長さ方向途中、具体的には、長さ方向中間位置（ナット部５と抜け止め部６との間の略中間となる位置）に設けて、この屈曲部10を起点として夫々の薄板部材７ａが確実に外方に向かってく字状に屈曲変形する構成としても良い。
【００４９】
更に、この屈曲部10を予め屈曲させて屈曲癖をつけて、各薄板部材７ａが弾性復帰しても、完全に真っ直ぐな状態に戻らず、常態において、く字状に屈曲変形している構成とし、この屈曲癖をつけておくことで、ナット部５を取付板材２の裏側に吊り下げ配設した際、屈曲状態でナット部５を吊持することとなり、これにより、薄板部材７ａが真っ直ぐな状態でナット部５を吊持する場合に比べて抜け止め部６からナット部５までの距離、即ち固定ボルト３を挿入する取付孔１からナット部５までの距離が短くなり、よって固定に使用する固定ボルト３の寸法が短い場合でも、ナット部５に届き易くなるように構成しても良い。
【００５０】
上述のように構成した本実施例の作用・効果について以下に説明する。
【００５１】
本実施例の吊りナットを取付板材２の裏側に配設する作業手順を図７に示す。
【００５２】
具体的には、先ず、図７（ａ）に示す状態から、連結部７をナット部５の長手方向一側に折り畳んでこのナット部５と重なり合うように伏倒状態にすると共に、ナット部５を取付板材２に対して垂直状態に保持した図７（ｂ）に示すような状態にし、ナット部５の長手方向を挿入方向として、この連結部７と共にナット部５を取付板材２に設けられた取付孔１に挿入して取付板材２の裏側に挿入配設する。
【００５３】
この取付孔１から取付板材２の裏側に挿入配設されたナット部５は、抜け止め部６が取付板材２の表面に係止して、取付板材２の裏側に吊り下げ状態に配設されると共に、折り畳んでナット部５に重ね合わせた連結部７が弾性復帰により元の状態に戻り変形し、この連結部７の戻り変形によりナット部５の姿勢が、挿入状態の取付板材２に対して垂直状態から取付板材２と平行状態となり、ナット部５に設けたネジ孔５ｂが取付板材２に設けられた取付孔１と略連通状態に配設され、取付孔１から挿入した固定ボルト３を螺着可能な姿勢へと自動的に変化する。
【００５４】
このナット部５の姿勢の変化、具体的には、取付板材２に対して垂直姿勢から略平行な姿勢に変化することにより、抜け止め部６を上方に引き上げてもナット部５が取付板材２に設けた取付孔１を通過せず抜け止め状態になるので、図７（ｃ）に示すように、取付板材２の表面に係止する抜け止め部６を上方に引き上げて、抜け止め状態となったナット部５を取付板材２の裏面に当接状態にする。
【００５５】
このナット部５が取付板材２の裏面に当接した状態においては、取付孔１からナット部５のネジ孔５ｂが表側から容易に視認することができるので、固定ボルト３の螺着作業が容易となる。
【００５６】
よって、この引き上げ状態でナット部５に固定ボルト３を適宜な量（例えば２、３回転分）螺着し、その後、再び抜け止め部６を取付板材２表面に係止させてナット部５を吊り下げ状態にする。
【００５７】
そして、固定ボルト３を螺着してゆくと、図７（ｄ），（ｅ）に示すように、連結部７が屈曲変形しながらナット部５が取付板材２の裏面に接近し係止して、取付板材２に取り付けた取付物４をボルト固定することができる。
【００５８】
尚、図７のように、取付板材２の裏側スペースに余裕がある場合は、上述したように、ナット部５を取付板材２に対して垂直状態で取付孔１に挿入して取付板材２の裏側に配設することができるが、取付板材２の裏側スペースが、ナット部５の長手方向寸法よりも高さのない狭いスペースの場合、即ち、ナット部５を取付板材２に対して略垂直状態にして取付孔１に挿入できない場合でも、本実施例は、図８に示すように、連結部７を傾斜状態に屈曲変形させ、取付孔１に対してナット部５を斜め方向から挿入して前記スペースの横方向にナット部５を逃がすようにして取付板材２の裏側に挿入配設することができる。
【００５９】
このように、本実施例は、傾倒自在且つ屈曲自在な連結部７により、ナット部５の姿勢を自在に変化させることができると共に、この変化した姿勢が自動復帰し元の固定ボルト３が螺着可能な姿勢になるから、取付板材２の裏側に、この取付板材２に設けた取付孔１から容易に挿入配設することができる実用性に優れた画期的な吊りナットとなる。
【００６０】
しかも、本実施例は、ナット部５と抜け止め部６との連結部材に、傾倒自在且つ屈曲自在に弾性変形する一対の合成樹脂製の薄板部材７ａから成る連結部７を設けただけの極めて簡易な構成としたから、低コストで製造することができ、市場に安価に製品を提供することができる画期的な吊りナットとなる。
【００６１】
更に、上述したように、本実施例のナット部５は、連結部７の弾性復帰により自動的に螺着可能な姿勢に変化するので、従来のボルトを差し込んで回動させる方式に比べ、より作業が簡易になり、しかも、従来は、取付板材２の裏側にナットを回動させるだけのスペースが無いと使用できなかったが、本実施例は、このような取付板材２の裏側のスペースが狭い場合でも容易に配設することができる極めて実用性に優れた画期的な吊りナットとなる。
【００６２】
尚、本発明は、本実施例に限られるものではなく、各構成要件の具体的構成は適宜設計し得るものである。
【符号の説明】
【００６３】
１  取付孔
２  取付板材
３  固定ボルト
４  取付物
５  ナット部
５ａ  細長板状体
５ｂ  ネジ孔
６  抜け止め部
７  連結部
７ａ  薄板部材
８  係止部
９  ボルト挿通孔
【図１】
2015113960.tif 000003
【図２】
2015113960.tif 000004
【図３】
2015113960.tif 000005
【図４】
2015113960.tif 000006
【図５】
2015113960.tif 000007
【図６】
2015113960.tif 000008
【図７】
2015113960.tif 000009
【図８】
2015113960.tif 000010
【図９】
2015113960.tif 000011